(57)【要約】【課題】ランプに電源電圧を供給するためのワイヤを内臓したモールドフレームを提供する。【解決手段】直下型バックライトアセンブリに用いられるモールドフレームの第１側壁１１１０はランプの一側をカバーしてランプに第１電源電圧を提供する複数の第１ランプソケットを収納するための複数の第１収納空間１１１１−１１１４と、第１収納空間に対する電気的な接続をなすための一つ以上の第１リターンワイヤ部分を内蔵し、第２乃至第４側壁１１２０−１１４０は第１リターンワイヤ部分に接続される第２乃至第４リターンワイヤ部分を内蔵する。このようにリターンワイヤをモールドフレームに内蔵させまたランプソケットを使用することにより、バックライトアセンブリの薄型化をなすことができる。【選択図】　　　図６
2004127909.tif 000002
【特許請求の範囲】
【請求項１】
直下型バックライトアセンブリに用いられて光を射出する複数のランプの両端を支持するためのモールドフレームにおいて、
ランプの一側をカバーして前記ランプに第１電源電圧を提供する複数の第１ランプソケットの各々を収納するための複数の第１収納空間が形成され、かつ前記第１ランプソケットとの電気的接続が可能なように一つ以上の第１ワイヤ部分を内蔵する第１側壁と、
前記第１側壁に対向し、第２ワイヤ部分を内蔵する第２側壁と、
一端が前記第１側壁の一端と連結され、他端が前記第２側壁の一端に連結され、かつ前記第１ワイヤ部分と前記第２ワイヤ部分とに接続される一つ以上の第３ワイヤ部分を内蔵する第３側壁と、
一端が前記第１側壁の他端と連結され、他端が前記第２側壁の他端に連結された第４側壁と、
を備えることを特徴とするモールドフレーム。
【請求項２】
前記第１ワイヤ部分及び第２ワイヤ部分はそれぞれが複数本から成り、前記第３側壁の第３ワイヤ部分は、前記複数本の第１ワイヤ部分のうちの一部と、前記複数本の第２ワイヤ部分のうちの一部との接続のため、１本又は複数本設けられており、
前記第４側壁は前記複数本の第１ワイヤ部分のうちの残りのものと、前記複数本の第２ワイヤ部分のうちの残りのものとの接続のため、第４ワイヤ部分をさらに内蔵することを特徴とする請求項１に記載のモールドフレーム。
【請求項３】
前記第２側壁は前記ランプの他端をカバーして、前記ランプに第２電源電圧を提供する複数の第２ランプソケットを収納するための複数の第２収納空間が形成され、前記第２収納空間の各々には前記第２ランプソケットと電気的接続が可能なようにするためのワイヤが露出されることを特徴とする請求項１に記載のモールドフレーム。
【請求項４】
前記第３側壁は、
着脱可能である第５側壁と第６側壁からなり、前記第５側壁と第６側壁のうちのいずれかには一つ以上の第１突出部材が設けられ、他方には前記第１突出部材を収容するための第１凹所が形成され、
前記第４側壁は、
着脱可能である第７側壁と第８側壁からなり、前記第７側壁と第８側壁のうちのいずれかには一つ以上の第２突出部材が設けられ、他方には前記第２突出部材を収容するための第２凹所が形成される、
ことを特徴とする請求項３に記載のモールドフレーム。
【請求項５】
前記第１ワイヤ部分の一部は前記第１収納空間を通じて露出されることを特徴とする請求項１に記載のモールドフレーム。
【請求項６】
前記第１ワイヤ部分は複数本から成り、その各々が前記第１収納空間の各々を通じて露出されることを特徴とする請求項１に記載のモールドフレーム。
【請求項７】
前記第１収納空間は、一体とされた前記第１ワイヤ部分を露出させることを特徴とする請求項１に記載のモールドフレーム。
【請求項８】
基底面と、前記基底面のエッジから突出形成された複数の側壁を有する第１収納容器と、
光を射出する複数のランプと、前記ランプ各々の少なくとも一側を収容して外部から提供される電源電圧を前記ランプに印加するための複数のランプソケットを有するランプアセンブリと、
複数の側壁を備えて前記第１収納容器の内側に収納され、前記複数のランプソケットと電気的に接続させる一つ以上のワイヤを内蔵する第２収納容器と、
前記第２収納容器の側壁の上部に定着され前記ランプアセンブリから提供される光の経路を制御する光調節手段と、
前記第２収納容器との締結を通じて前記光調節手段を固定する第３収納容器と、
を含むことを特徴とするバックライトアセンブリ。
【請求項９】
前記バックライトアセンブリは、前記ランプの下部でかつ前記基底面の上部に配置され、前記ランプから射出された光を前記光調節手段側に反射する光反射手段をさらに備えることを特徴とする請求項８に記載のバックライトアセンブリ。
【請求項１０】
前記第２収納容器は前記ランプソケットと１対１の対応でワイヤを露出させることを特徴とする請求項８に記載のバックライトアセンブリ。
【請求項１１】
前記ランプソケットは前記ランプの一端に第１電源電圧を提供するための導電性キャップを含むことを特徴とする請求項１０に記載のバックライトアセンブリ。
【請求項１２】
前記第２収納容器は前記ランプソケットの複数に対して一体となった同じワイヤが接続される形態でワイヤを露出させることを特徴とする請求項８に記載のバックライトアセンブリ。
【請求項１３】
前記ランプソケットは、
前記ワイヤに連結されて前記第１電源電圧を伝達する導電性キャップと、
前記導電性キャップを収容し、前記第２収納容器に形成された第１収納空間に収容された絶縁性カバーと、
を含み、前記導電性キャップには前記ランプの一端に設けられたランプ用導電性キャップが挿入され、該キャップを通じ前記ランプに第１電源電圧を提供するように構成されていることを特徴とする請求項１２に記載のバックライトアセンブリ。
【請求項１４】
前記ランプソケットは、前記第２収納容器から一部が露出されて前記ランプにより発生された熱を前記絶縁性カバーを通じて発散することを特徴とする請求項１３に記載のバックライトアセンブリ。
【請求項１５】
前記絶縁性カバーはシリコン材質からなることを特徴とする請求項１３に記載のバックライトアセンブリ。
【請求項１６】
前記第２収納容器は、
前記ランプの一側をカバーして前記ランプに第１電源電圧を提供する複数の第１ランプソケットの各々を収納するための複数の第１収納空間と、前記第１収納空間に露出され前記第１ランプソケットと電気的に接続される一つ以上の第１ワイヤ部分を内蔵する第１側壁と、
前記第１側壁に対向し、第２ワイヤ部分を内蔵する第２側壁と、
一端が前記第１側壁の一端と連結され、他端が前記第２側壁の一端に連結され、かつ前記第１ワイヤ部分と前記第２ワイヤ部分とに接続される一つ以上の第３ワイヤ部分を内蔵する第３側壁と、
一端が前記第１側壁の他端と連結され、他端が前記第２側壁の他端に連結された第４側壁と、
を含むことを特徴とする請求項８に記載のバックライトアセンブリ。
【請求項１７】
前記第１ワイヤ部分及び第２ワイヤ部分はそれぞれが複数本から成り、前記第３側壁の第３ワイヤ部分は前記複数本の第１ワイヤ部分のうちの一部と、前記複数本の第２ワイヤ部分のうちの一部との接続のため、１本又は複数本設けられており、
前記第４側壁は前記複数本の第１ワイヤ部分のうちの残りのもの、前記複数本の第２ワイヤ部分のうちの残りのものとの接続のため、第４ワイヤ部分をさらに内蔵することを特徴とする請求項１６に記載のバックライトアセンブリ。
【請求項１８】
前記第２側壁は前記ランプの他側をカバーして前記ランプに第２電源電圧を提供する複数の第２ランプソケットを収納するための複数の第２収納空間が形成され、前記第２収納空間の各々には前記第２ランプソケットと電気的接続が可能なようにするためのワイヤが露出されることを特徴とする請求項１６に記載のバックライトアセンブリ。
【請求項１９】
前記第１ランプソケットは、前記ランプの一端を収容して第１電源電圧を前記ランプの一端に提供することを特徴とする請求項１６に記載のバックライトアセンブリ。
【請求項２０】
前記第２ランプソケットは前記ランプの他端を収容して第２電源電圧を前記ランプの他端に提供することを特徴とする請求項１８に記載のバックライトアセンブリ。
【請求項２１】
ランプに外部から提供される電源電圧を印加するための複数のランプソケットを有するランプアセンブリと、前記ランプアセンブリから提供される光の経路を制御する光調節手段と、前記複数のランプソケットとの電気的接続が可能なように一つ以上のワイヤ部分を内蔵する収納容器を含み、前記光調節手段により経路制御された光を射出するバックライトアセンブリと、
前記バックライトアセンブリの上部に定着され、前記バックライトアセンブリから提供される光に応答して画像をディスプレーする液晶表示パネルと、
を含むことを特徴とする液晶表示装置。
【請求項２２】
前記収納容器は、
前記ランプの一側をカバーして前記ランプに第１電源電圧を提供する複数の第１ランプソケットの各々を収納するための複数の第１収納空間が形成され、かつ、
前記第１収納空間に露出され前記第１ランプソケットとの電気的接続が可能なように一つ以上の第１ワイヤ部分を内蔵する第１側壁と、
前記第１側壁に対向し、第２ワイヤ部分を内蔵する第２側壁と、
一端が前記第１側壁の一端と連結され、他端が前記第２側壁の一端に連結され、前記第１ワイヤ部分と前記第２ワイヤ部分とに接続される一つ以上の第３ワイヤ部分を内蔵する第３側壁と、
一端が前記第１側壁の他端と連結され、他端が前記第２側壁の他端に連結された第４側壁と、
を含むことを特徴とする請求項２１に記載の液晶表示装置。
【請求項２３】
前記第１ワイヤ部分及び第２ワイヤ部分はそれぞれが複数本から成り、前記第３側壁の第３ワイヤ部分は前記複数本の第１ワイヤ部分のうちの一部と、前記複数本の第２ワイヤ部分のうちの一部との接続のため、１本又は複数本設けられており、
前記第４側壁は前記複数本の第１ワイヤ部分のうちの残りのものと、前記複数本の第２ワイヤ部分のうちの残りのものとの接続のため、第４ワイヤ部分をさらに内蔵することを特徴とする請求項２１に記載の液晶表示装置。
【請求項２４】
前記第１側壁は前記ランプソケットを外部に露出させ、前記ランプにより発生された熱を発散することを特徴とする請求項２１に記載の液晶表示装置。
【請求項２５】
ランプを収容するための少なくとも一つの凹部が形成されたフレームと、
前記フレーム上に配置され、前記ランプに電源電圧を供給するためのワイヤを含み、
前記ワイヤは前記凹部に収容されるランプの一部と接続されることを特徴とするバックライトアセンブリ用モールドフレーム。
【発明の詳細な説明】
【０００１】
【発明の属する技術分野】
本発明はモールドフレームとこれを有するバックライトアセンブリ及び液晶表示装置に関するものであり、より詳細には、ランプに電源電圧を供給するためのワイヤを内蔵したモールドフレームとこれを有するバックライトアセンブリ及び液晶表示装置に関するものである。
【０００２】
【従来の技術】
一般に、液晶表示装置の大部分はＬＣＤパネル以外から供給される光の量を調節して画像を表示する受光性装置であるために、ＬＣＤパネルに光を照射するための別途の光源、即ち、バックライトアセンブリを必ず必要とする。このようなバックライトアセンブリは、ランプユニットが設けられる位置によりエッジ型と直下型に区分される。
【０００３】
エッジ型は光を案内する導光板の側面にランプユニットが設けられる形式であり、ランプユニットは光を発生するランプと、ランプの両端に挿入されランプを保護するランプホルダーと、ランプの外周面を取囲み、一側面が導光板の側面に向きランプからで生した光を導光板方に反射させるランプ反射板を備える。
【０００４】
このようなエッジ型は、主にラップトップ型コンピュータ及びデスクトップ型コンピュータのモニターのように、比較的小さい液晶表示装置に適用され、光の均一性が優れて、耐久寿命が長く、液晶表示装置の薄型化に利点がある。
【０００５】
一方、直下型は液晶表示装置が大型化されるにつれて、重点的に開発され始めたもので、拡散板の下部面に複数個のランプを一列に配列させ、ＬＣＤパネルの全面に光を直接照光するものである。
【０００６】
このような、直下型はエッジ型に比べて、光の利用効率が高いために高輝度を必要とする大画面液晶表示装置に主に使用される。
【０００７】
図１は、一般の直下型液晶表示装置を示した分解斜視図である。
【０００８】
図１に示すように、一般の直下型液晶表示装置１００は画像を示す液晶表示パネルアセンブリ１１０及び前記液晶表示パネルアセンブリ１１０に光を提供する直下型バックライトアセンブリ１２０とを含む。
【０００９】
前記液晶表示パネルアセンブリ１１０は薄膜トランジスター（以下、ＴＦＴと称する）基板１１１ａと、カラーフィルタ基板１１１ｂ及び前記ＴＦＴ基板１１１ａとカラーフィルタ基板１１１ｂとの間に注入された液晶（図示せず）からなった液晶表示パネル１１１を有する。また、データ印刷回路基板１１５、ゲート印刷回路基板１１４、データ側テープキャリアパッケージ（以下、ＴＣＰと称する）１１３及びゲート側ＴＣＰ１１２からなる。
【００１０】
一方、直下型バックライトアセンブリ１２０は第１光を発生するランプユニット１２１と、前記ランプユニット１２１から発生された第１光を反射させるための反射板１２３、前記第１光を拡散させて均一な輝度分布を有する第２光を射出させるための光調節部１２２及び、前記ランプユニット１２１、反射板１２３及び拡散板１２２ａを収納するためのボトムシャーシ１２５を含む。ここで、光調節部１２２は拡散板１２２ａ、拡散板１２２ａの上部に順次に配置される拡散シート１２２ｂ、下方プリズムシート１２２ｃ、上方プリズムシート１２２ｄ及び保護シート１２２ｅを含む。
【００１１】
前記ボトムシャーシ１２５は上部面が開口された直六面体のボックス形態で形成される。前記ボトムシャーシ１２５の内部には所定の深さの収納空間が形成され、前記収納空間の下面に沿って前記反射板１２３が配置され、前記反射板１２３上には前記ランプユニット１２１が互いに並べて設けられる。また、前記ボトムシャーシ１２５には前記ランプユニット１２１と所定の間隔に離隔して、前記光調節部１２２が定着される。
【００１２】
ここで、前記ランプユニット１２１は一つ以上のランプ１２１ａ、前記一つ以上のランプ１２１ａの対向する両端部に各々設けられたランプホルダー１２１ｂ、前記両端部のうちの第１端部から引き出された第１電極線１２１ｃ、前記第１端部と向き合う第２端部から引き出された第２電極線１２１ｄからなる。ここで、前記第１電極線１２１ｃは前記一つ以上のランプユニット１２１に第１電源電圧を印加し、前記第２電極線１２１ｄは前記一つ以上のランプユニット１２１に第２電源電圧を印加する。そのために、前記第１及び第２電極線１２１ｃ、１２１ｄは前記第１及び第２電源電圧を発生する電力供給装置（図示せず）に各々連結される。
【００１３】
前記第１及び第２電極線１２１ｃ、１２１ｄを、前記電力供給装置に連結するために、前記第１及び第２電極線１２１ｃ、１２１ｄのうちのいずれか一つをその他の電極線が位置する側まで延長する作業を必要とする。従来では、図１に示すように、相対的に低い電源電圧が印加される第２電極線１２１ｄを前記第１電極線１２１ｃが引き出された側まで延ばす構造を採択する。
【００１４】
ここで、長く延びた前記第２電極線１２１ｄは前記直下型液晶表示装置１００が画像を発現する作用を妨害しないように、前記反射板１２３の背面に配置される。前記反射板１２３と前記ボトムシャーシ１２５との間には前記第２電極線１２１ｄを収納するための収納空間が用意されている。
【００１５】
一方、前記光調節部１２２の上部にはミドルシャーシ１３０が配置され、前記ミドルシャーシ１３０の第２端棚部には前記液晶表示パネル１１１が定着される。次いで、前記液晶表示パネル１１１上に前記ボトムシャーシ１２５と対向して結合するトップシャーシ１４０が提供される。これにより、直下型液晶表示装置１００が完成される。
【００１６】
しかし、このような構造を有するバックライトアセンブリまたは液晶表示装置では、ランプ両端に備えられるワイヤがランプに隣接した場所を占める構造を有するために、段々薄型化するバックライトアセンブリまたは液晶表示装置には適していないという問題点がある。
【００１７】
【発明が解決しようとする課題】
本発明の第一目的は、リターンワイヤをモールドフレームに挿入させ、挿入されたリターンワイヤとの連結のためにランプソケットを使用することにより、薄型化をなすことができるモールドフレームを提供することにある。
【００１８】
本発明の第二目的は、かかるモールドフレームを用いたバックライトアセンブリを提供することにある。
【００１９】
本発明の第三目的は、かかるバックライトアセンブリを有する液晶表示装置を提供することにある。
【００２０】
【発明を解決するための手段】
上述した目的を達成するための本発明によるモールドフレームは、直下型バックライトアセンブリに用いられて光を射出する複数のランプの両端を支持するためのモールドフレームにおいて、ランプの一側をカバーして前記ランプに第１電源電圧を提供する複数の第１ランプソケットの各々を収納するための複数の第１収納空間が形成され、かつ前記第１ランプソケットとの電気的接続が可能なように一つ以上の第１ワイヤ部分を内蔵する第１側壁と、前記第１側壁に対向し、前記第２ワイヤ部分を内蔵する第２側壁と、一端が前記第１側壁の一端と連結され、他端が前記第２側壁の一端に連結され、かつ前記第１ワイヤ部分と第２ワイヤ部分とに接続される一つ以上の第３ワイヤ部分を内蔵する第３側壁と、一端が前記第１側壁の他端と連結され、他端が前記第２側壁の他端に連結された第４側壁とを備える。
【００２１】
上述した他の目的を達成するための本発明によるバックライトアセンブリは、基底面と、前記基底面のエッジから突出形成された複数の側壁を有する第１収納容器と、光を射出する複数のランプと、前記ランプ各々の少なくとも一側を収容して外部から提供される電源電圧を前記ランプに印加するための複数のランプソケットを有するランプアセンブリと、複数の側壁を備えて前記第１収納容器の内側に収納され、前記複数のランプソケットと電気的にさせる一つ以上のワイヤを内蔵する第２収納容器と、前記第２収納容器の側壁の上部に定着され前記ランプアセンブリから提供される光の経路を制御する光調節手段と、前記第２収納容器との締結を通じて前記光調節手段を固定する第３収納容器とを含む。
【００２２】
また、上述した目的を達成するための本発明による液晶表示装置は、ランプに外部から提供される電源電圧を印加するための複数のランプソケットを有するランプアセンブリと、前記ランプアセンブリから提供される光の経路を制御する光調節手段と、前記複数のランプソケットとの電気的接続が可能なように一つ以上のワイヤを内蔵する収納容器を含み、前記光調節手段により経路制御された光を射出するバックライトアセンブリと、前記バックライトアセンブリの上部に定着され、前記バックライトアセンブリから提供される光に応答して画像をディスプレーする液晶表示パネルとを含む。
【００２３】
このようなモールドフレームとこれを有するバックライトアセンブリ及びこれを有する液晶表示装置によると、直下型バックライトユニットを有する液晶表示装置において、リターンワイヤをモールドフレームに内蔵させ、ランプソケットを使用することによりモールドフレームの薄型化をなすことができる。
【００２４】
【発明の実施の形態】
以下、図面を参照して本発明の望ましい一実施形態をより詳細に説明する。
【００２５】
図２は、本発明による液晶表示装置を説明するための分解斜視図である。
【００２６】
図２に示すように、本発明による直下型液晶表示装置６００は光を提供する直下型バックライトアセンブリ２００、ミドルシャーシ３００、前記ミドルシャーシ３００に定着される液晶表示パネルアセンブリ４００、また、前記ミドルシャーシ３００と前記直下型バックライトアセンブリ２００との締結をなしつつ液晶表示パネルアセンブリ４００を固定するトップシャーシ５００とを含む。
【００２７】
直下型バックライトアセンブリ２００は反射板２１０、モールドフレーム２３０、第１光を発生するランプユニット２４０、第１光を拡散させて均一な輝度分布を有する第２光を射出させるための光調節部２５０、また、前述したランプユニット２４０と反射板２１０と光調節部２５０を収納するためのボトムシャーシ２２０を含む。ここで、モールドフレーム２３０はランプユニット２４０を収容すると同時にランプに電源電圧を供給するワイヤを内部に収容する。また、光調節部２５０は拡散板２５１、拡散板２５１の上部に順次に配置される拡散シート２５２、下方プリズムシート２５３、上方プリズムシート２５４及び保護シート２５５を含む。
【００２８】
ボトムシャーシ２２０は上部面が開口された直六面体のボックス形態で形成される。ボトムシャーシ２２０の内部には所定深さの収納空間が形成され、収納空間の下面に沿って反射板２１０が配置され、反射板２１０上にはランプユニット２４０が各ランプ２４１を並べて設けられる。また、ボトムシャーシ２２０はモールドフレーム２３０の下部面に締結され、反射板２１０とランプユニット２４０を固定させ、ランプユニット２４０で発生される熱を外部に放出させ、ランプユニット２４０の温度を適切に維持させる。
【００２９】
一方、ボトムシャーシ２２０にはランプユニット２４０と所定の間隔に離隔して光調節部２５０が定着される。ここで、ランプユニット２４０は一つ以上のランプ２４１、ランプ２４１の一端部に各々設けられたランプホルダー（符合なし）、ランプホルダーから引き出された電極線、ランプの他端部に設けられるランプキャップ２４２、ランプキャップを収容すると同時に、ランプキャップに電源電圧を提供するランプソケット２４３からなる。
【００３０】
光調節部２５０の上部にはミドルシャーシ３００が配置され、ミドルシャーシ３００の端棚部ジョーには液晶表示パネルアセンブリ４００が定着される。ここで、液晶表示パネルアセンブリ４００は薄膜トランジスター（以下、ＴＦＴと称する）基板４１１ａとカラーフィルタ基板４１１ｂ及びＴＦＴ基板４１１ａとカラーフィルタ基板４１１ｂとの間に注入された液晶（図示せず）からなった液晶表示パネル４１１を有する。また、データ印刷回路基板４１５、ゲート印刷回路基板４１４、データ側テープキャリアパッケージ（以下、ＴＣＰと称する）４１３及びゲート側ＴＣＰ４１２も有する。
【００３１】
液晶表示パネルアセンブリ４００上にボトムシャーシ２２０と対向して結合するトップシャーシ５００が提供される。これにより、直下型液晶表示装置６００が完成される。
【００３２】
図３乃至図５は、本発明によるランプキャップとこれを収容するランプソケットを説明するための図面であり、特に、図３はランプを収容するためのランプキャップの一例を示し、図４は前述したランプキャップを収容するためのランプソケットの一例を示し、図５は前述したランプキャップが前述したランプソケットに収容される態様を説明するための図面である。
【００３３】
図３に示すように、ランプ２４１は外部から電力の提供を受けるためのリードワイヤ２４１ａを有する。前記ランプキャップ２４２は前記ランプ２４１に対応する形状を有し、前記ランプ２４１のリードワイヤ２４１ａを外部に露出させるための貫通孔２４２ｂを有する。前記ランプキャップ２４２は、外壁に備えられて貫通孔２４２ｂをカバーするソルダリング部材２４２ａを有する。このソルダリング部材ははんだ材自体がワイヤ２４１ａに付着したものでも、またはんだ材によってワイヤ２４１ａに付着せしめられた任意の導電性材料でもよい。従って、貫通孔２４２ｂを通じて露出されたリードワイヤ２４１ａは前記ソルダリング部材２４２ａと電気的に接触される。電力はソルダリング部材及びリードワイヤを通じて前記ランプに提供される。
【００３４】
図４と図５に示したように、本発明によるランプソケット２４３は第１電源電圧を伝達する第１導電性キャップ２４３−ａと、第１導電性キャップ２４３−ａを収容し、収納容器に形成された収納空間に収容される絶縁性カバー２４３−ｃからなる。前述した絶縁性カバーはランプにより発生された熱をランプから容易に逃がすヒートシンクとして作用しかつその熱を外部により容易に放熱するためのものである。
【００３５】
さらに詳細には、第１導電性キャップ２４３−ａの内部には、収容されるランプキャップ２４２を固定するために第１乃至第６突出部分２４３−ａ１、２４３−ａ２、２４３−ａ３、２４３−ａ４、２４３−ａ５、２４３−ａ６が設けられている。また、第１導電性キャップ２４３−ａの外部には電源電圧を供給するためのワイヤ（図示せず）との連結のための第７突出部分２４３−ｂがさらに備えられている。
【００３６】
図６は本発明の第１実施形態によるモールドフレームを説明するための図面であり、特に埋設されるリターンワイヤを説明するために、上部モールドフレームと下部モールドフレームを分離して示す。
【００３７】
図６に示すように、本発明の第１実施形態によるモールドフレームは、下部モールドフレーム１１００、上部モールドフレーム１２００及び下部モールドフレーム１１００と上部モールドフレーム１２００との間に埋設される複数のリターンワイヤ１３１０、１３２０、１３３０、１３４０を備える。勿論、図面上では下部モールドフレーム１１００上にリターンワイヤが埋設されることを説明したが、上部モールドフレーム１２００上に複数のリターンワイヤ１３１０、１３２０、１３３０、１３４０が埋設されるようにもできる。
【００３８】
下部モールドフレーム１１００は、第１乃至第４側壁１１１０、１１２０、１１３０、１１４０を備え、第１側壁１１１０は複数の収納空間１１１１、１１１２、１１１３、１１１４を有する。また、下部モールドフレーム１１００は収納空間１１１１、１１１２、１１１３、１１１４各々に接して、かつ第３側壁１１３０を経て第２側壁１１２０にまで延びたリターンワイヤ１３３０、１３４０と、第４側壁１１４０を経て第２側壁１１２０にまで延びたリターンワイヤ１３１０、１３２０を有する。
【００３９】
さらに詳しく述べると、第１側壁１１１０は複数の収納空間１１１１、１１１２、１１１３、１１１４と、収納空間１１１１、１１１２、１１１３、１１１４に対し電気的な接続が可能なように埋設された複数のリターンワイヤ１３１０、１３２０、１３３０、１３４０の一部分を有する。ここで、設けられている収納空間１１１１、１１１２、１１１３、１１１４はランプの一側をカバーして、ランプに第１電源電圧を提供する複数の第１ランプソケットを収納するためのものである。
【００４０】
第２側壁１１２０は第１側壁１１１０に対向し、第１側壁１１１０から延びて埋設された複数のリターンワイヤ１３１０、１３２０、１３３０、１３４０の一部分を有する。
【００４１】
第３側壁１１３０は一端が第１側壁１１１０の一端と連結され、他端が第２側壁１１２０の一端に連結され、第１側壁１１１０から延びた複数のリターンワイヤのうちの一部のリターンワイヤ１３３０、１３４０の一部分を有する。
【００４２】
第４側壁１１４０は一端が第１側壁１１１０の他端と連結され、他端が第２側壁１１２０の他端に連結され、第１側壁１１１０から延びた複数のリターンワイヤのうちのその他のリターンワイヤ１３１０、１３２０の一部分を有する。
【００４３】
勿論、図面上では第１側壁１１１０から延びた複数のリターンワイヤのうち、一部のリターンワイヤ１３３０、１３４０が第３側壁１１３０を経て第２側壁１１２０にまで延び、複数のリターンワイヤのうちの残りリターンワイヤ１３１０、１３２０が第４側壁１１４０を経て第２側壁１１２０にまで延びる例を説明したが、第１側壁１１１０から延びた複数のリターンワイヤの全て１３１０、１３２０、１３３０、１３４０が第３側壁１１３０または第４側壁１１４０を経て第２側壁１１２０にまで延びるようにもできる。
【００４４】
上部モールドフレーム１２００は、下部モールドフレーム１１００に備えられる第１乃至第４側壁１１１０、１１２０、１１３０、１１４０と対向する第１乃至第４側壁１２１０、１２２０、１２３０、１２４０を備え、第１側壁１２１０は下部モールドフレーム１１００の第１側壁１１１０に形成された複数の第１収納空間１１１１、１１１２、１１１３、１１１４と対向する複数の第２収納空間（図示せず）を有する。勿論、図面上では円形形状を有する収納空間を示したが、これはランプを収納するランプソケットの形状に応じる。
【００４５】
前述したように、本発明の第１実施形態によるモールドフレームは、ランプに電源電圧を供給するワイヤを内蔵するので、別途のリターンワイヤを処理する工程などを除去することができるので、組立工程を簡単にすることができる。
【００４６】
即ち、一般にモールドフレームを用いるバックライトアセンブリの組立順序では、モールドフレーム内にランプを配置し、その上に反射板を配置した後にリターンワイヤを整えて配置し、その上にボトムシャーシを配置し、これらの組み合わせを含んだままボトムシャーシを上下逆に覆した後に光学シート類を定着させていた。
【００４７】
しかし、本発明によるモールドフレームを用いるバックライトアセンブリの組立順序では、ボトムシャーシ上に反射板を配置し、モールドフレームを配置した後にランプを収容させ、その後に光学シート類を定着させるので、ボトムシャーシを覆すなどの別途の組立工程を省略することができる。
【００４８】
また、別途リターンワイヤを配置する組立工程を除去することができる。
【００４９】
図７は本発明の第２実施形態によるモールドフレームを説明するための図面であり、特に、埋設されるリターンワイヤを説明するため上部モールドフレームと下部モールドフレームを分離して示した。
【００５０】
図７に示すように、本発明の第２実施形態によるモールドフレームは、下部モールドフレーム２１００、上部モールドフレーム２２００、上部及び下部モールドフレーム２１００、２２００の間に埋設される複数のリターンワイヤ２３１０、２３２０、２３３０、２３４０、２３５０、２３６０、２３７０、２３８０を備える。勿論、図面では下部モールドフレーム２１００上にリターンワイヤが埋設されることを説明したが、上部モールドフレーム２２００上に複数のリターンワイヤが埋設されるようにもできる。
【００５１】
下部モールドフレーム２１００は、第１乃至第６側壁２１１０、２１２０、２１３０、２１４０、２１５０、２１６０を備え、各々の側壁は埋設されたリターンワイヤを有する。
【００５２】
さらに詳細には、第１側壁２１１０は複数の収納空間２１１１、２１１２、２１１３、２１１４と、第１収納空間に対し電気的な接続が可能なように埋設された複数のリターンワイヤ２３１０、２３２０、２３３０、２３４０の一部分を有する。ここで、複数のリターンワイヤ２３１０、２３２０、２３３０、２３４０各々は第１側壁２１１０の上部面に露出されるように埋設される。ここで、備えられる第１収納空間２１１１、２１１２、２１１３、２１１４は、図示しないランプの一側をカバーしてランプに第１電源電圧を提供する複数の第１ランプソケット（図示せず）を収納するためのものである。
【００５３】
第２側壁２１２０は、一端が第１側壁２１１０の一端と連結され、第１側壁２１１０に埋設された複数のリターンワイヤのうちの一部のリターンワイヤ２３１０、２３２０の一部分を有する。
【００５４】
第３側壁２１３０は一端が第１側壁２１１０の他端と連結され、第１側壁２１１０に埋設された複数のリターンワイヤのうち、その他のリターンワイヤ２３３０、２３４０の一部分を有する。
【００５５】
第４側壁２１４０は第１側壁２１１０に対向し、複数の第２収納空間２１４１、２１４２、２１４３、２１４４と第２収納空間に対して電気的な接続が可能なように埋設された複数のワイヤ２４１１、２４１２、２４１３、２４１４を備え、また第１側壁２１１０から延びる結果となるよう埋設された複数のリターンワイヤ２３５０、２３６０、２３７０、２３８０を有する。ここで、備えられる第２収納空間２１４１、２１４２、２１４３、２１４４は図示しないランプの一側をカバーしてランプに第２電源電圧を提供する複数の第２ランプソケット（図示せず）を収納するためのものである。
【００５６】
上述した複数のリターンワイヤ２３５０、２３６０、２３７０、２３８０は第１側壁２１１０に埋設され第２側壁２１２０を経るリターンワイヤ２３３０、２３４０と、第３側壁２１３０を経るリターンワイヤ２３１０、２３２０に結果として接続することになる。
【００５７】
第５側壁２１５０は一端が第２側壁２１２０の他端に連結され、他端が第４側壁２１４０の一端に連結され、第１側壁２１１０から延びて埋設された複数のリターンワイヤ２３３０、２３４０の一部分を有する。
【００５８】
第６側壁２１６０は一端が第３側壁の他端に連結され、他端が第４側壁２１４０の他端に連結され、第１側壁２１１０から延びて埋設された複数のリターンワイヤのうちの、その他のワイヤ２３１０、２３２０の一部を有する。ここで、第５側壁２１５０と第６側壁２１６０は各々第２側壁２１２０と第３側壁２１３０と同一直線上となるように形成され、着脱が可能である。即ち、第５側壁２１５０は突出した複数の突起２１５１、２１５２を備えて、第２側壁２１２０に備えられる凹所（図示せず）との締結が可能であり、第６側壁２１６０は突出した複数の突起２１６１、２１６２を備えて、第３側壁２１３０に備えられる凹所（図示せず）との締結が可能である。
【００５９】
上部モールドフレーム２２００は下部モールドフレーム２１００に備えられる第１乃至第６側壁２１１０、２１２０、２１３０、２１４０、２１５０、２１６０と対向する第１乃至第６側壁２２１０、２２２０、２２３０、２２４０、２２５０、２２６０を備え、第１側壁２２１０は下部モールドフレーム２１００の第１側壁２１１０に形成された複数の第１収納空間２１１１、２１１２、２１１３、２１１４と対向する複数の第３収納空間（図示せず）を有する。
【００６０】
また、上部モールドフレーム２２００の第４側壁２２４０は下部モールドフレーム２１００の第４側壁２１４０に形成された複数の第２収納空間２１４１、２１４２、２１４３、２１４４と対向する複数の第４収納空間２２４１、２２４２、２２４３、２２４４を有する。勿論、図面上では円形形状を有する収納空間を示したが、これはランプを収納するランプソケットの形状に応じる。
【００６１】
また、上部モールドフレーム２２００の第５側壁２２５０と第６側壁２２６０は各々第２側壁２２２０と第３側壁２２３０と同一直線上となるように形成され、着脱が可能である。即ち、上部モールドフレーム２２００の第５側壁２２５０は突出した複数の突起２２５１、２２５２を備えて、第２側壁２２２０に備えられる凹所（図示せず）との締結が可能であり、第６側壁２２６０は突出した複数の複数の突起２２６１、２２６２を備えて、第３側壁２２３０に備えられる凹所（図示せず）との締結が可能である。
【００６２】
図８は本発明の第３実施形態によるモールドフレームを説明するための図面であり、特に埋設されるリターンワイヤを説明するため上部モールドフレームと下部モールドフレームを分離して示す。
【００６３】
図８に示すように、本発明の第３実施形態によるモールドフレームは、下部モールドフレーム３１００、上部モールドフレーム３２００及び下部モールドフレーム３１００と上部モールドフレーム３２００との間に埋設される複数のリターンワイヤ３３１０、３３２０、３３３０、３３４０を備える。勿論、図面上では下部モールドフレーム３１００上にリターンワイヤが上部面が露出されるように埋設される例を説明したが、上部モールドフレーム３２００上に複数のリターンワイヤ３３１０、３３２０、３３３０、３３４０が埋設されるようにすることもできる。
【００６４】
下部モールドフレーム３１００は第１乃至第４側壁３１１０、３１２０、３１３０、３１４０を備え、第１側壁３１１０は複数の収納空間３１１１、３１１２、３１１３、３１１４を有する。ここで、複数の収納空間３１１１、３１１２、３１１３、３１１４の各々は外部と導通されている。このように、外部と導通させる理由はランプから発生した熱を外部により容易に逃がすためのものである。
【００６５】
また、下部モールドフレーム３１００は収納空間３１１１、３１１２、３１１３、３１１４の各々に接してかつ第３側壁３１３０を経て第２側壁３１２０にまで延びたリターンワイヤ３３３０、３３４０と、第４側壁３１４０を経て第２側壁３１２０にまで延びたリターンワイヤ３３１０、３３２０を有する。
【００６６】
より詳細には、第１側壁３１１０は複数の収納空間３１１１、３１１２、３１１３、３１１４と、第１収納空間３１１１、３１１２、３１１３、３１１４に対し電気的な接続が可能なように埋設された複数のリターンワイヤ３３１０、３３２０、３３３０、３３４０を有する。ここで、設けられている第１収納空間３１１１、３１１２、３１１３、３１１４はランプの一側をカバーしてランプに第１電源電圧を提供する複数の第１ランプソケットを収納するためのものである。
【００６７】
第２側壁３１２０は第１側壁３１１０に対向し、第１側壁３１１０から延びて埋設された複数のリターンワイヤ３３１０、３３２０、３３３０、３３４０の一部分を有する。
【００６８】
第３側壁３１３０は一端が第１側壁３１１０の一端と連結され、他端が第２側壁３１２０の一端に連結され、第１側壁３１１０から延びた複数のリターンワイヤのうちの一部のリターンワイヤ３３３０、３３４０の一部分を有する。
【００６９】
第４側壁３１４０は一端が第１側壁３１１０の他端と連結され、他端が第２側壁３１２０の他端に連結され、第１側壁３１１０から延びた複数のリターンワイヤのうちのその他のリターンワイヤ３３１０、３３２０の一部分を有する。
【００７０】
勿論、図面上では第１側壁３１１０から延びた複数のリターンワイヤのうち、一部のリターンワイヤ３３３０、３３４０が第３側壁３１３０を経て第２側壁３１２０にまで延び、複数のリターンワイヤのうち、その他のリターンワイヤ３３１０、３３２０が第４側壁３１４０を経て第２側壁３１２０にまで延びる例を説明したが、第１側壁３１１０から延びた複数のリターンワイヤの全て３３１０、３３２０、３３３０、３３４０が第３側壁３１３０または第４側壁３１４０を経て第２側壁３１２０にまで延びるようにもできる。
【００７１】
上部モールドフレーム３２００は下部モールドフレーム３１００に備えられる第１乃至第４側壁３１１０、３１２０、３１３０、３１４０と対向する第１乃至第４側壁３２１０、３２２０、３２３０、３２４０を備え、第１側壁３２１０は下部モールドフレーム３１００の第１側壁３１１０に形成された複数の第１収納空間３１１１、３１１２、３１１３、３１１４と対向する複数の第２収納空間（図示せず）を有する。勿論、図面上では矩形形状を有する収納空間を示したが、これはランプを収納するランプソケットの形状に応じる。
【００７２】
以上で、ランプソケットが挿入されるモールドフレームの一側を開放させる例を説明したが、モールドフレームの両側を開放させることのでき、これについて図９を参照して説明する。
【００７３】
図９は本発明によるモールドフレームの締結を説明するための液晶表示装置の切断面図である。
【００７４】
図２と図９に示すように、ボトムシャーシ２２０は、その上に順次に反射板２１０、モールドフレーム２３０、拡散板２５１と各種光学シート類２５２、２５３を含む光調節部材２５０が定着された後、ミドルシャーシ３００と締結される。また、ミドルシャーシ３００の上部に液晶表示パネルアセンブリ４００が定着され、定着された液晶表示パネルアセンブリ４００上部に定着されるトップシャーシ５００はミドルシャーシ３００及びボトムシャーシ２２０に締結される。
【００７５】
特に、モールドフレーム２３０はランプ２４１が収容されたランプキャップ２４２を収納するランプソケット２４３とカバー２４３−ｃが外部に露出されることができるように上述した貫通開口を有する。このような貫通開口を通じてランプ２４１により発生された熱は外部により容易に伝達されることができる。
【００７６】
図１０は本発明の第４実施形態によるモールドフレームを説明するための図面であり、特に、埋設されるリターンワイヤを説明するために上部モールドフレームと下部モールドフレームを分離して示す。
【００７７】
図１０に示すように、本発明の第４実施形態によるモールドフレームは、下部モールドフレーム４１００、上部モールドフレーム４２００及び下部モールドフレーム４１００と上部モールドフレーム４２００との間に埋設される複数のリターンワイヤ４３１０、４３２０、４３３０、４３４０を備える。勿論、図面上では下部モールドフレーム４１００上にリターンワイヤが埋設されることを説明したが、上部モールドフレーム４２００上に複数のリターンワイヤ４３１０、４３２０、４３３０、４３４０が埋設されるようにすることもできる。
【００７８】
下部モールドフレーム４１００は第１乃至第４側壁４１１０、４１２０、４１３０、４１４０を備え、第１側壁４１１０は複数の収納空間４１１１、４１１２、４１１３、４１１４を有する。ここで、複数の収納空間４１１１、４１１２、４１１３、４１１４の各々は外部と導通されている。このように、外部と導通させる理由はランプから発生した熱を外部により容易に伝達するためのものである。
【００７９】
より詳細には、第１側壁４１１０は複数の第１収納空間４１１１、４１１２、４１１３、４１１４と、第１収納空間４１１１、４１１２、４１１３、４１１４に対し電気的な接続が可能なように埋設された複数のリターンワイヤ４３１０、４３２０、４３３０、４３４０を有する。ここで、設けられている収納空間４１１１、４１１２、４１１３、４１１４はランプの一側をカバーしてランプに第１電源電圧を提供する複数の第１ランプソケット４４１０、４４２０、４４３０、４４４０を収納するためのものである。これら第１ランプソケットに関する説明は後述する図１１と図１２で説明する。
【００８０】
第２側壁４１２０は第１側壁４１１０に対向し、第１側壁４１１０から延びて埋設された複数のリターンワイヤ４３１０、４３２０、４３３０、４３４０の一部分を有する。
【００８１】
第３側壁４１３０は一端が第１側壁４１１０の一端と連結され、他端が第２側壁４１２０の一端に連結され、第１側壁４１１０から延びた複数のリターンワイヤのうちの、一部のリターンワイヤ４３３０、４３４０の一部分を有する。
【００８２】
第４側壁４１４０は一端が第１側壁４１１０の他端と連結され、他端が第２側壁４１２０の他端に連結され、第１側壁４１１０から延びた複数のリターンワイヤのうちのその他のリターンワイヤ４３１０、４３２０の一部分を有する。
【００８３】
上部モールドフレーム４２００は下部モールドフレーム４１００に備えられる第１乃至第４側壁４１１０、４１２０、４１３０、４１４０と対向する第１乃至第４側壁４２１０、４２２０、４２３０、４２４０を備え、第１側壁４２１０は下部モールドフレーム４１００の第１側壁４１１０に形成された複数の第１収納空間４１１１、４１１２、４１１３、４１１４と対向する複数の第２収納空間４２１１、４２１２、４２１３、４２１４を有する。勿論、図面上では矩形形状を有する収納空間を示したが、円形形状を有する収納空間を形成することもでき、このような収納空間の形状はランプを収納するランプソケットの形状に応じる。
【００８４】
図１１と図１２は、前述した図１０に用いられるランプソケットを説明するための図面であり、特に、図１１はランプソケットの斜視図であり、図１２はランプソケットの切断面図である。
【００８５】
図１１と図１２に示すように、本発明によるランプソケット４４１０は、ランプを収容する第１ランプキャップ４４０１と、ランプキャップに形成された貫通孔を通じて露出したランプリードをはんだ付け処理したソルダリング部材４４０３との組み合わせを収容するもので、ソルダリング部材を経てランプに電源電圧を提供する第２ランプキャップ４４１１及び第２ランプキャップ４４１１全体を収容する絶縁性カバーからなる。
【００８６】
特に、絶縁性カバーは本体部４４１３とモールドフレームの内側において突出するよう形成された翼部分４４１４からなり、翼部分４４１４は一定の傾斜角を有する。このような一定の傾斜角はモールドフレームの側壁に形成される傾斜と一致させるためである。モールドフレームに形成される傾斜は有効ディスプレー領域の外側に発生される暗部を除去するためである。
【００８７】
また、絶縁性カバーはランプから発生した熱に対して耐熱性を有する材質として、シリコン材質であることが望ましい。前述したシリコン材質の絶縁性カバーはランプから発生された熱を外側に伝達する放熱機能も有する。
【００８８】
図１３は、本発明の第５実施形態によるモールドフレームを説明するための図面であり、特に埋設されるリターンワイヤを説明するために上部モールドフレームと下部モールドフレームを分離して示す。
【００８９】
図１３に示すように、本発明の第５実施形態によるモールドフレームは、下部モールドフレーム５１００、上部モールドフレーム５２００及び下部モールドフレーム５１００と上部モールドフレーム５２００との間に埋設されるリターンワイヤ５３１０を備える。勿論、図面上では下部モールドフレーム５１００上にリターンワイヤ５３１０が埋設されるように説明したが、上部モールドフレーム５２００上にリターンワイヤ５３１０が埋設されるようにもできる。
【００９０】
下部モールドフレーム５１００は第１乃至第４側壁５１１０、５１２０、５１３０、５１４０を備え、第１側壁５１１０は複数の収納空間５１１１、５１１２、５１１３、５１１４を有する。ここで、複数の収納空間５１１１、５１１２、５１１３、５１１４の各々は外部と導通されている。このように、外部と導通させる理由は、ランプから発生した熱を外部により容易に伝達するためである。
【００９１】
より詳細には、第１側壁５１１０は複数の収納空間５１１１、５１１２、５１１３、５１１４と、収納空間５１１１、５１１２、５１１３、５１１４に対し電気的な接続が可能なように埋設されたリターンワイヤ５３１０を有する。ここで、設けられている収納空間５１１１、５１１２、５１１３、５１１４はランプの一側をカバーしてランプに第１電源電圧を提供する一体形第１ランプソケット５４１０を収納するためのものである。この一体形第１ランプソケットに関する説明は、後述する図１４で説明する。
【００９２】
第２側壁５１２０は第１側壁５１１０に対向し、第１側壁５１１０から延びて埋設されたリターンワイヤ５３１０の一部分を有する。
【００９３】
第３側壁５１３０は一端が第１側壁５１１０の一端と連結され、他端が第２側壁５１２０の一端に連結され、第１側壁５１１０から延びたリターンワイヤ５３１０の一部分を有する。
【００９４】
第４側壁５１４０は一端が第１側壁５１１０の他端と連結され、他端が第２側壁５１２０の他端に連結される。
【００９５】
上部モールドフレーム５２００は下部モールドフレーム５１００に備えられる第１乃至第４側壁５１１０、５１２０、５１３０、５１４０と対向する第１乃至第４側壁５２１０、５２２０、５２３０、５２４０を備え、第１側壁５２１０は下部モールドフレーム５１００の第１側壁５１１０に形成された複数の第１収納空間５１１１、５１１２、５１１３、５１１４と対向する複数の第２収納空間５２１１、５２１２、５２１３、５２１４を有する。勿論、図面上では矩形形状を有する収納空間を示したが、円形形状を有する収納空間を形成することもでき、このような収納空間の形状はランプを収納するランプソケットの形状に応じる。
【００９６】
図１４は前述した図１３に用いられる一体形ランプソケット５４１０を説明するための図面である。
【００９７】
図１３と図１４に示すように、本発明による一体形ランプソケットはモールドフレームに形成された収納空間に収容され、ランプを収容する第１ランプキャップ（図示せず）を収容してランプに電源電圧を提供するものであり、複数の第２ランプキャップ５４１１ｂ、５４１２ｂ、５４１３ｂ、５４１４ｂ及び第２ランプキャップ５４１０全体を収容する絶縁性カバーからなる。
【００９８】
ここで、絶縁性カバーはモールドフレームに形成された第１及び第２収納空間に対応した位置で第２ランプキャップを収容するように、ランプ厚さより大きい高さを有し、モールドフレームに形成された第１及び第２収納空間を通じて露出されるように延びるだけの長さを有する。
【００９９】
また、第２ランプキャップは絶縁性カバーに形成された貫通孔を通じて一部露出され、露出部分５４１１ａ、５４１２ａ、５４１３ａ、５４１４ａ各々はモールドフレームに形成された第１収納空間５１１１、５１１２、５１１３、５１１４に埋設されたリターンワイヤと接触する。
【０１００】
一般的に、バックライトアセンブリはモールドフレームを用意し、ランプをそれに取り付け、反射板をその上に配置し、リターンワイヤを所定の位置に配列させ、ボトムシャーシをかぶせ、これら組み立て体を上下逆に覆し、拡散シート類を定着させる組立工程を有する。しかし、本発明によるバックライトアセンブリは、ボトムシャーシ、反射板、モールドフレーム、ランプ、光学シート類をそのまま順次定着させる組立工程を用いることができるので、組立工程が簡単となる。
【０１０１】
以上、本発明の実施例によって詳細に説明したが、本発明はこれに限定されず、本発明が属する技術分野において通常の知識を有するものであれば本発明の思想と精神を離れることなく、本発明を修正または変更できるであろう。
【０１０２】
【発明の効果】
本発明によると、直下型バックライトユニットを有する液晶表示装置において、リターンワイヤをモールドフレームに内蔵させ、内蔵されたリターンワイヤとの連結のためにランプソケットを使用することにより、モールドフレームだけでなく、バックライトアセンブリ、しいてはバックライトアセンブリを用いる液晶表示装置の薄型化をなすことができる。
【０１０３】
また、リターンワイヤがモールドフレームに内蔵されるので、別途のリターンワイヤを配置するもしくは配列させる工程を排除することができ、これと共に、リターンワイヤ配備のためにボトムシャーシを覆すなどの工程数を減少させることができるので、バックライトアセンブリの組立工程を簡単にすることができ、これにより製造原価などを節減させることができる。
【０１０４】
また、モールドフレームに形成されたランプユニットを収納する収納空間を外部と連通させ、連通させられた収納空間にランプユニットを収容するランプソケットを収容してこれを露出させることができるので、ランプにより生じた熱を外部により容易に伝達することができ、ランプ駆動による温度増加を減少させることができる。
【図面の簡単な説明】
【図１】一般的な直下型液晶表示装置を示した分解斜視図である。
【図２】本発明による液晶表示装置を説明するための分解斜視図である。
【図３】本発明によるランプキャップを説明するための図面である。
【図４】本発明によるランプキャップとこれを収容するランプソケットを説明するための図面である。
【図５】本発明によるランプキャップとこれを収容するランプソケットを説明するための図面である。
【図６】本発明の第１実施形態によるモールドフレームを説明するための図面である。
【図７】本発明の第２実施形態によるモールドフレームを説明するための図面である。
【図８】本発明の第３実施形態によるモールドフレームを説明するための図面である。
【図９】本発明によるモールドフレームと他の要素との関係を説明するための液晶表示装置の切断図面である。
【図１０】本発明の第４実施形態によるモールドフレームを説明するための図面である。
【図１１】図１０に用いられるランプソケットを説明するための図面である。
【図１２】図１０に用いられるランプソケットを説明するための図面である。
【図１３】本発明の第５実施形態によるモールドフレームを説明するための図面である。
【図１４】図１３に用いられるランプソケットを説明するための図面である。
【符号の説明】
１１０、４００　　液晶表示パネルアセンブリ
１２０、２００　　直下型バックライトアセンブリ
２１０　　反射板
２２０　　ボトムシャーシ
２３０　　モールドフレーム
２４０　　ランプユニット
２４２　　ランプキャップ
２４３　　ランプソケット
２５０　　光調節部
２５１　　拡散板
２５２　　拡散シート
２５３、２５４　　プリズムシート
２５５　　保護シート
３００　　ミドルフレーム
５００　　トップシャーシ
【図１】
2004127909.tif 000003
【図２】
2004127909.tif 000004
【図３】
2004127909.tif 000005
【図４】
2004127909.tif 000006
【図５】
2004127909.tif 000007
【図６】
2004127909.tif 000008
【図７】
2004127909.tif 000009
【図８】
2004127909.tif 000010
【図９】
2004127909.tif 000011
【図１０】
2004127909.tif 000012
【図１１】
2004127909.tif 000013
【図１２】
2004127909.tif 000014
【図１３】
2004127909.tif 000015
【図１４】
2004127909.tif 000016